(57)【要約】【課題】  スライダーとこのスライダーに接触する作動体との間に、読み取り対象物等である原稿や指が挟み込まれないようにする。【解決手段】  スライダー５に覆い板８を設け、この覆い板５の先端部分を、作動体（軸部材３，３）を囲う方向に曲げるとともに、支持部材ａに対してケース本体ｂを最大角度に維持したとき、上記覆い板８の先端が、作動体の外接線のうち覆い板８と対向する側の鉛直線上の外接線に位置するか、あるいは上記外接線よりも作動体側に突出する構成にしている。【選択図】  図１
2012234043.tif 000002
【特許請求の範囲】
【請求項１】
読み取り対象物を押さえる押さえ板側に固定するケース本体と、このケース本体の両側に設けた一対のガイド面間に移動可能に設けたスライダーと、このスライダーとそのスライダーに対向する面との間に介在させたコイルスプリングとを備える一方、ケース本体の上記ガイド面間に支持軸を設け、この支持軸に回動自在に支持されるとともに読み取り装置側に固定する支持部材を設け、この支持部材には作動体を設け、支持部材が上記支持軸を中心に相対的に回動したとき、その回動力を上記スライダーに伝達して、当該スライダーを上記コイルスプリングのばね力に抗して移動させるヒンジ機構において、上記スライダーに覆い板を設け、この覆い板の先端部分を、作動体を囲う方向に曲げるとともに、上記支持部材に対して上記ケース本体を最大角度に維持したとき、上記覆い板の先端が、作動体の外接線のうち覆い板と対向する側の鉛直線上の外接線に位置するか、あるいは上記外接線よりも作動体側に突出する構成にしたヒンジ機構。
【発明の詳細な説明】
【技術分野】
【０００１】
この発明は、例えばコピー機などの読み取り装置と蓋とを連結するヒンジ機構に関する。
【背景技術】
【０００２】
この種のヒンジ機構として、特許文献1に記載されたものが従来から知られている。
この従来のヒンジ機構は、例えばコピー機などに用いるもので、この種のヒンジ機構では、一対のスライダー間にコイルスプリングを設けるとともに、支持部材とケース本体とを相対回転させたとき、支持部材に設けた軸でスライダーをコイルスプリングのばね力に抗して移動させ、上記ケース本体に対して、コピー機の蓋を押し上げる方向のトルクを発生させるようにしている。
【０００３】
上記のようにしたヒンジ機構では、支持部材に設けた上記軸とスライダーとの間に、例えばコピー目的の原稿などを挟み込んでしまう危険がある。また、この軸にはグリスを塗布し、軸とスライダーとの滑り性を良くしているので、もし、コピー目的の原稿が挟み込まれてしまうと、軸に塗布したグリスがそのコピー目的の原稿に付着して、当該原稿が汚れたり損傷したりする。
【０００４】
さらに、コピー機の蓋は、何らかの修理目的で９０度まで開いた状態に保つことがあるが、このときには修理している者が指を上記軸とスライダーとの間に挟み込んでしまうことがある。もし、このような状態で、上記蓋が不用意に閉じてしまうと、それが怪我の基になるということもあった。
そこで、従来は、スライダーに延出片を設け、この延出片で上記軸を覆うようにし、軸とスライダーとの間に原稿や指などが挟み込まれないようにしていた。
【先行技術文献】
【特許文献】
【０００５】
【特許文献１】特開２００７−２８６６３０号公報
【発明の概要】
【発明が解決しようとする課題】
【０００６】
上記のようにした従来のヒンジ機構では、スライダーに設けた延出片で上記軸を完全に覆うことができず、そのために軸と延出片との間にすき間ができてしまい、軸とスライダーとの間に原稿や指が挟み込まれるという問題を解決できなかった。
この発明の目的は、従来の軸に相当する作動体とスライダーとの間に、紙や指などが挟み込まれないようにしたヒンジ機構を提供することである。
【課題を解決するための手段】
【０００７】
この発明は、読み取り対象物を押さえる押さえ板側に固定するケース本体と、このケース本体の両側に設けた一対のガイド面間に移動可能に設けたスライダーと、このスライダーとそのスライダーに対向する面との間に介在させたコイルスプリングとを備える一方、ケース本体の上記ガイド面間に支持軸を設け、この支持軸に回動自在に支持されるとともに読み取り装置側に固定する支持部材を設け、この支持部材には作動体を設け、支持部材が上記支持軸を中心に相対的に回動したとき、その回動力を上記スライダーに伝達して、当該スライダーを上記コイルスプリングのばね力に抗して移動させるヒンジ機構に関する。
【０００８】
そして、上記スライダーに覆い板を設け、この覆い板の先端部分を、作動体を囲う方向に曲げるとともに、上記支持部材に対して上記ケース本体を最大角度に維持したとき、上記覆い板の先端が、作動体の外接線のうち覆い板と対向する側の鉛直線上の外接線に位置するか、あるいは上記外接線よりも作動体側に突出する構成にしている。
なお、上記最大角度とは、例えば、ストッパー機構で形成されるものと、ヒンジ機構の構造上必然的に定まるものとの両方が含まれる。
【発明の効果】
【０００９】
この発明によれば、作動体が覆い板で常に覆われる構成にしたので、作動体とスライダーとの接触部に、読み取り対象物等が挟み込まれるおそれが全くない。
しかも、上記覆い板はスライダーに設けたので、このスライダーと一体成形することも可能になる。このように覆い板をスライダーと一体成形すれば、その製造コストを低く抑えることができる。
【図面の簡単な説明】
【００１０】
【図１】第１実施形態を示すもので、支持部材とケース本体との角度を６０度に保った状態の断面図である。
【図２】第１実施形態を示すもので、支持部材とケース本体との角度を６０度に保った状態の正面図である。
【図３】第１実施形態を示すもので、支持部材とケース本体との角度を９０度に保った状態の断面図である。
【図４】第１実施形態を示すもので、支持部材とケース本体との角度を９０度に保った状態の正面図である。
【図５】第１実施形態の支持部材の斜視図である。
【図６】第１実施形態の支持部材に設けた作動体の取り付け状態を拡大した部分断面図である。
【図７】第２実施形態を示すもので、支持部材とケース本体との角度を６０度に保った状態の断面図である。
【図８】第２実施形態を示すもので、支持部材とケース本体との角度を６０度に保った状態の正面図である。
【図９】第２実施形態を示すもので、支持部材とケース本体との角度を９０度に保った状態の断面図である。
【図１０】第２実施形態を示すもので、支持部材とケース本体との角度を９０度に保った状態の正面図である。
【図１１】第２実施形態の支持部材の斜視図である。
【図１２】第２実施形態の支持部材に設けた作動体の取り付け部分を拡大した部分断面図である。
【発明を実施するための形態】
【００１１】
図１〜図６に示した第１実施形態はコピー機に用いるヒンジ機構で、このヒンジ機構は、図１に示したコピー機の読み取り装置Ｘ側に固定する支持部材ａと、支持軸１を介して上記支持部材ａと回動自在に支持されたケース本体ｂとからなる。
【００１２】
上記支持部材ａは、コピー機の読み取り装置Ｘ側に固定する平板部ａ１の両側に両側起立片ａ２，ａ２を設けるとともに、これら両側起立片ａ２，ａ２間に背側起立片ａ３を設けている（図５参照）。
そして、平板部ａ１には、当該支持部材ａを上記読み取り装置Ｘに固定するためのボルト穴ａ４を形成するとともに、上記両側片ａ２，ａ２には軸孔ａ５，ａ５を形成し，この軸孔ａ５，ａ５に上記支持軸１が支持される構成にしている。
【００１３】
また、上記軸孔ａ５，ａ５よりもやや前方下側には、作動体としての一対の軸部材３，３を設けるとともに、これら軸部材３，３は互いの軸中心線を一致させている。そして、図６からも明らかなように、軸部材３，３の基端にフランジ部を形成するとともに、それら軸部材３，３の先端は図５からも明らかなように間隔を保持して互いに対向させている。
【００１４】
さらに、軸孔ａ５，ａ５間に支持された支持軸１には、押さえ板Ｙ（以下「蓋Ｙ」と言う）と一体的に回動するケース本体ｂが回動自在に支持されるが、このケース本体ｂはその上板ｂ１の両側に垂下片ｂ２、ｂ２を形成するとともに、上記支持軸１はこれら垂下片ｂ２，ｂ２を貫通して、上記軸孔ａ５，ａ５に支持されている。なお、これら垂下片ｂ２，ｂ２の内側対向面をこの発明のガイド面としている。
【００１５】
一方、ケース本体ｂの垂下片ｂ２，ｂ２の内側対向面であるガイド面間には、第１，２スライダー５，６を摺動自在に組み込んでいるが、これら第１，２スライダー５，６間には、圧縮時にばね力を発揮するコイルスプリング７を介在させている。
そして、上記コイルスプリング７のばね力の作用で、上記第１スライダー５は支持軸１に圧接し、第２スライダー６はローラ４に圧接し、これら第１，２スライダー５，６は、支持軸１と第２作動体を構成するローラ４との間に組み込まれている。
【００１６】
そして、上記第１スライダー５であって、コイルスプリング７とは反対側面に、覆い板
８を一体成形している。この覆い板８は、図２からも明らかなように、両側起立片ａ３，ａ３間にほぼいっぱいとなる幅を有するとともに、その先端部分を作動体である軸部材３，３を囲う方向に曲げている。さらに、この覆い板８は、支持部材ａに対してケース本体ｂを最大角度に維持したとき、上記覆い板８の先端が、上記軸部材３，３の外接線のうち覆い板８と対向する側の鉛直線上の外接線に位置している（図３参照）。
【００１７】
上記のように上記覆い板８の先端が、上記軸部材３，３の外接線のうち覆い板８と対向する側の鉛直線上の外接線に位置しているので、ケース本体ｂの回動範囲内では、覆い板８が作動体である軸部材３，３を常に覆うことになる。このようにケース本体ｂの回動範囲内で作動体である軸部材３，３を覆い板８で覆うので、読み取り対象物等である原稿や指が、作動体である軸部材３，３と第１スライダー５との間に挟まったりしない。
なお、上記覆い板８の先端は、支持部材ａに対してケース本体ｂを最大角度に維持したとき、上記外接線よりも作動体側に突出する構成にしてもよいこと当然である。
【００１８】
上記のようにした第１スライダー５であって、コイルスプリング７とは反対側面にカム面９を形成している。そして、上記作動体である軸部材３、３は、ケース本体ｂが支持部材ａに対して回動する過程で、支持軸１を中心に円弧運動をするとともに、その運動の過程で上記カム面９を押して、コイルスプリング７を撓ませながら第１スライダー５を移動する。
【００１９】
なお、支持部材ａとケース本体ｂとの角度が設定角度以下の範囲、例えばこの実施形態では６０度以下の範囲にあるとき、軸部材３，３がカム面９に接触する構成にし、６０度以上９０度の範囲では、作動体である軸部材３，３はカム面９から離なれた状態を保つ構成にしている。
そして、ケース本体ｂが支持部材ａに対して９０度の位置を保っているときには、ケース本体ｂの上板ｂ１の後端が支持部材ａの背側起立片ａ３に当たって、９０度以上回動しないようにしている（図３参照）。したがって、この第１実施形態では、支持部材ａに対してケース本体ｂを９０度に開いたときが最大角度ということになる。
【００２０】
また、上記のように第１スライダー５がコイルスプリング７に抗して移動することによってコイルスプリング７を撓ませるが、そのときのコイルスプリング７のばね力が、蓋Ｙを押し上げる力、すなわち蓋Ｙを開く方向のトルクとして作用する。したがって、例えばコピー機において、蓋Ｙが閉まった状態からそれを開けるときには、コイルスプリング７のばね力が蓋Ｙを開ける力に対してアシスト力となる。
反対に、開けた状態の蓋Ｙを閉めるときには、コイルスプリング７のばね力が、蓋Ｙの急激な落下を防止するための減衰力として作用する。
【００２１】
いずれにしても、第１実施形態では、蓋Ｙが開閉する過程で、第１スライダー５と一体にした覆い板８が、作動体である軸部材３，３を覆うので、軸部材３，３と第１スライダー５との間に原稿が入り込もうとしても、覆い板８が邪魔してその進入を阻止する。このように覆い板８によって原稿などの進入が阻止されるので、上記軸部材３，３とカム面９とが接触する箇所にグリスを塗っていても、上記原稿がグリスによって汚されたりしないし、指などの挟み込みも防止できる。
【００２２】
図７〜図１２に示した第２実施形態は、作動体の構成を第１実施形態と相違させただけで、その他の構成及び作用は第１実施形態と同じである。
したがって、第１実施形態と同じ構成要素については、図７〜図１２において第１実施形態と同じ符号を用い、それら構成の詳細な説明を省略するとともに、同一の構成要素についてはその作用の説明も省略する。
【００２３】
第２実施形態における作動体は、支持部材ａの両側起立片ａ２，ａ２であって、第１実施形態の軸部材３，３を設けた位置と全く同じ位置に、ローラ軸１３，１３を設けるとともに、このローラ軸１３，１３にローラ１４，１４を回転自在に設けてなる。
したがって、第２実施形態にいては、第１実施形態と異なり、カム面９と接触する作動体の接触部にグリスを塗布する必要がない。
【００２４】
この第２実施形態によれば、ローラ１４，１４と第１スライダー５との間に原稿などが進入しようとしても、覆い板８が邪魔をしてそれを阻止する。したがって、ローラ１４，１４と第１スライダー５との間に、原稿などが挟まったり、指などを挟み込んだりしない。
【産業上の利用可能性】
【００２５】
コピー機の読み取り装置と蓋とを連結するヒンジ機構として最適である。
【符号の説明】
【００２６】
ａ    支持部材
ｂ    ケース本体
Ｘ    読み取り装置
Ｙ    押さえ板（蓋）
１    支持軸
３    作動体である軸部材
５    スライダー
７    コイルスプリング
８    覆い板
１３    作動体を構成するローラ軸
１４    作動体を構成するローラ
【図１】
2012234043.tif 000003
【図２】
2012234043.tif 000004
【図３】
2012234043.tif 000005
【図４】
2012234043.tif 000006
【図５】
2012234043.tif 000007
【図６】
2012234043.tif 000008
【図７】
2012234043.tif 000009
【図８】
2012234043.tif 000010
【図９】
2012234043.tif 000011
【図１０】
2012234043.tif 000012
【図１１】
2012234043.tif 000013
【図１２】
2012234043.tif 000014